(57)【特許請求の範囲】
【請求項１】
主体の正面から見ると右上にトグル溝を形成する廃ガラス表面の汚れ除去装置であって、主体を含み、
前記主体の中には操作空間が設置され、前記操作空間の右側には送り込み装置が設置され、前記送り込み装置は廃ガラス瓶を前記操作空間の中に送り込み、前記操作空間の中には輸送装置が設置され、前記輸送装置は輸送ベルトを含み、前記輸送ベルトには十枚の取り付けブロックが設置され、前記取り付けブロックにはクランプ装置が装着され、前記廃ガラス瓶が前記クランプ装置によって挟まれて前記輸送ベルトに取り付けられることができ、
前記操作空間の下端壁の中には前記操作空間と連通する浸漬空間が設置され、前記浸漬空間の左側には汚れ除去装置が設置され、前記汚れ除去装置の左側には洗浄空間が設置され、前記洗浄空間の左側には乾燥装置が設置され、前記乾燥装置が前記汚れ除去装置と伝動できるように連結され、前記操作空間の左側には送り出し装置が設置され、前記送り出し装置が前記送り込み装置と伝動できるように連結され、
前記廃ガラス瓶が前記浸漬空間で洗浄液に漬けられた後、前記廃ガラス瓶表面の汚れを柔らかくし、または落とし、その後、前記汚れ除去装置により前記廃ガラス瓶に柔らかくなる汚れやラベルを拭き取り、それから、前記廃ガラス瓶が前記洗浄空間に入って洗浄された後に前記乾燥装置の中で乾かされ、きれいになった前記廃ガラス瓶が前記送り出し装置を介して外部空間に送り出され、
前記浸漬空間の中には汚れ除去機能を有する洗浄液が貯蔵され、前記洗浄空間の中には浄水が貯蔵されており、
前記送り込み装置は送り込み空間を含み、
前記送り込み空間が前記操作空間と外部空間とを連通させ、前記送り込み空間の中には延長回転板が回転できるように設置され、前記延長回転板の右端を中心として、前記延長回転板の左端側が上下に揺動し、前記延長回転板の左端が前記操作空間の中に伸びており、前記延長回転板の下端面と前記送り込み空間の下端壁との間には復帰ばねが固定的に設置され、
前記送り込み空間の中には送り込み回転軸が回転できるように設置され、前記送り込み回転軸が前記延長回転板の右側に位置し、前記送り込み回転軸が前記輸送装置と伝動できるように連結され、前記送り込み回転軸には送り込み回転車が固定的に設置され、前記送り込み回転車には送り込みベルトが伝動できるように連結され、前記送り込みベルトの上端面が水平状態になった前記延長回転板の上端面と同一平面に位置し、前記送り込みベルトの右端が外部空間に延在し、
前記送り込み空間の上側にはトグル溝が連通するように形成され、前記トグル溝の中にはトグル軸が回転できるように設置され、前記トグル軸の後端が前記送り出し装置と伝動できるように連結され、前記トグル軸にはトグルロッドが固定的に設置され、
前記廃ガラス瓶が前記送り込みベルトを介して前記操作空間の中に送り込まれ、前記トグルロッドが時計回り方向に回転して前記廃ガラス瓶を左方に移動させることで、前記廃ガラス瓶の口が前記クランプ装置に挟まれ、
前記輸送装置は前記操作空間の中心軸を対称軸として左右対称に配置された二本の輸送回転軸を含み、
左側の前記輸送回転軸の後端には輸送モーターが伝動できるように連結され、前記輸送モーターが前記操作空間の後端壁の中に固定的に設置され、二本の前記輸送回転軸には輸送回転車が固定的に設置され、
前記輸送回転車の間には三つの輸送部品が設置され、前記輸送部品は前記操作空間の内部で前後対称に位置する二本の輸送ロッドを含み、前記輸送ロッドにおいて対称中心から離れた一端が前記操作空間の内端壁に回転できるように連結され、前記輸送ロッドには輸送ローラーが固定的に設置され、右側二つの前記輸送部品が左側の前記輸送部品の上側に位置し、かつ右側二つの前記輸送部品が前記操作空間の内部で左右対称に配置され、
前記輸送ローラーの下側には四つの牽引回転車が回転できるように設置され、前記牽引回転車、前記輸送ローラー及び前記輸送回転車が前記輸送ベルトにより伝動できるように連結されており、
前記クランプ装置は連結ブロックを含み、
前記連結ブロックが前記取り付けブロックと固定的に連結され、前記連結ブロックの中には挟み回転空間が設置され、前記挟み回転空間内部の前後端壁の間には挟み回転軸が設置され、前記挟み回転軸が前記挟み回転空間に対して回転でき、前記挟み回転軸には一対の挟みロッドが交差するように設置され、前記挟み回転空間の中の前記挟みロッドの両端のうち、前記挟み回転軸に近い方の一端にはトーションばねが固定的に設置され、前記トーションばねの他端が前記挟み回転空間の内端壁と固定的に連結され、
前記挟みロッドの下端が前記操作空間の中に延在し、かつ前記挟みロッドの下端には挟みブロックが固定的に設置され、前記挟みブロックにおいて対称中心に近接した一端には滑り止めパッドが固定的に設置され、前記挟みブロックの下端面及び前記滑り止めパッドの下端面はいずれも斜面構成であり、
前記汚れ除去装置は環状止め板を含み、
前記環状止め板の下方の前記主体の中にはネジ山空間が設置され、前記ネジ山空間の中には昇降回転軸がネジ山を介して連結され、前記昇降回転軸の上端が前記環状止め板により規定される内部空間延在し、かつ前記昇降回転軸の上端には取り付けロッドが固定的に設置され、前記取り付けロッドには環状の洗浄ブロックが固定的に設置され、前記洗浄ブロックの内端壁には洗浄用ブラシが固定的に設置され、
前記昇降回転軸の底端の中にはスプライン軸がスプラインにより連結され、前記ネジ山空間の下側にはベルト空間が連通するように設置され、前記ベルト空間の下端壁には回転モーターが固定的に設置され、前記スプライン軸の下端が前記ベルト空間の中に延在しかつ前記回転モーターと伝動できるように連結されており、
前記乾燥装置は二つの乾燥部品を含み、
前記乾燥部品が前記操作空間の中に位置し、前記乾燥部品は前後対称に配置された二本の拭き回転軸を含み、前記拭き回転軸には拭き車輪が固定的に設置され、前記操作空間の下端壁には噛合空間が設置され、前記拭き回転軸の下端が前記噛合空間の下端壁と回転できるように連結され、前記噛合空間の中の前記拭き回転軸にはベルトプーリが固定的に設置され、前記ベルトプーリが連結ベルトにより伝動できるように連結され、前記拭き回転軸にはタイミング歯車が固定的に設置され、前記タイミング歯車が前記ベルトプーリの下側に位置し、
前記タイミング歯車の前端には回転歯車が噛み合うように連結され、前記回転歯車の軸心には歯車回転軸が固定的に設置され、前記歯車回転軸の下端が前記ベルト空間の下端壁と回転できるように連結され、前記ベルト空間の中の前記歯車回転軸と前記スプライン軸とが伝動ベルトにより伝動できるように連結され、
前後の前記拭き車輪の間には隙間があり、前記廃ガラス瓶がこの隙間を通ることができ、前記拭き車輪の外表面が軟質の吸水性のある綿によって作られるものであり、
前記送り出し装置は前後対称の伸縮溝を含み、
前記伸縮溝が前記操作空間と連通し、二つの前記伸縮溝の中にはいずれも前記廃ガラス瓶を載置するための伸縮板がスライドできるように設置され、前記伸縮板において対称中心から離れた一端と前記伸縮溝との間には伸縮ばねが固定的に設置され、前記操作空間の左側と外部空間とが送り出し空間により連通するように設置され、
前記送り出し空間の中には送り出し回転軸が回転できるように設置され、前記送り出し回転軸には送り出し回転車が固定的に設置され、前記送り出し回転車には送り出しベルトが伝動できるように連結され、前記送り出しベルトの左端が外部空間に延在し、前記操作空間の前端壁の中にはタイミングベルト空間が連通するように設置され、前記送り出し回転軸、前記輸送回転軸及び前記送り込み回転軸の前端がいずれも前記タイミングベルト空間の前端壁と回転できるように連結され、前記タイミングベルト空間の中に設けられた前記送り出し回転軸、前記輸送回転軸及び前記送り込み回転軸がタイミングベルトにより伝動できるように連結され、
前記操作空間の後側には連結空間が連通するように設置され、前記連結空間の下端壁にはプッシュ溝が連通するように形成され、前記プッシュ溝の中には前記挟みロッドを押して回転させるためのプッシュロッドがスライドできるように設置され、前記連結空間の左側には回転空間が連通するように設置され、前記回転空間内部の上下端壁の間には固定軸が回転できるように設置され、前記固定軸には回転ロッドが回転できるように設置され、前記回転ロッドの右端が前記連結空間の中に延在し、前記回転ロッドの中には連通溝が形成され、前記連通溝が前記プッシュロッドの後端とスライドできるように連結され、
前記回転空間の中には回転軸が回転できるように設置され、前記回転軸には回転盤が固定的に設置され、前記回転盤の後端面には半環状ブロックが固定的に設置され、前記回転盤の前端面の中にはスライド溝が形成され、前記スライド溝の中にはスライドロッドがスライドできるように設置され、前記スライドロッドの下端と前記スライド溝との間には圧力ばねが固定的に設置され、
前記回転空間の前側と前記送り出し空間との間にはスライドガイド溝が連通するように形成され、前記スライドロッドの前端が前記スライドガイド溝を貫通して前記送り出し空間の中に延在し、かつ前記スライドロッドの前端にはトグル板が固定的に設置され、前記トグル板の下端面には半円状の滑り止めリングが固定的に設置され、
前記回転空間の後側には伝動空間が連通するように設置され、前記伝動空間の後端壁には動力モーターが固定的に設置され、前記回転軸の後端が前記動力モーターに伝動できるように連結され、前記伝動空間が前記トグル溝と連通し、前記トグル軸の後端が前記伝動空間の中に延在し、前記伝動空間の中の前記トグル軸と前記回転軸とが動力ベルトにより伝動できるように連結され、前記送り出し装置が作動することにより、前記廃ガラス瓶が前記挟みロッドから離脱し、前記トグル板が前記廃ガラス瓶を押し動かして左方に移動させ、前記廃ガラス瓶が前記送り出しベルトを介して送り出されることを特徴とする廃ガラス表面の汚れ除去装置。
【発明の詳細な説明】
【技術分野】
【０００１】
本願発明は廃ガラス瓶の汚れ除去技術分野に関し、具体的には廃ガラス表面の汚れ除去装置である。
【背景技術】
【０００２】
既存のガラス瓶回収と洗浄装置は構成が複雑で、生産コストが高く、主に大量のガラス瓶の洗浄作業に適するが、少量のガラス瓶を洗浄する場合に、装置の働きに必要な電力消費が大きく、洗浄費用が高く、装置の利用率が低い。また、大量の廃ガラス瓶に洗浄作業を行う場合に、一部のガラス瓶が徹底的に洗浄されることができなく、洗浄効率も低い。従って、本願発明は上記の問題を解決できる装置を設計する。
【先行技術文献】
【特許文献】
【０００３】
【特許文献１】中国特許出願公開第１０９４９７８８５号明細書
【発明の概要】
【発明が解決しようとする課題】
【０００４】
技術問題：
既存のガラス瓶回収と洗浄装置は構成が複雑で、生産コストが高く、主に大量のガラス瓶の洗浄作業に適し、装置の利用率と洗浄効率が低い。
【課題を解決するための手段】
【０００５】
上記の問題を解決するため、本願発明は廃ガラス表面の汚れ除去装置を設計する。本願発明に記載の廃ガラス表面の汚れ除去装置は、主体を含み、前記主体の中には操作空間が設置され、前記操作空間の右側には送り込み装置が設置され、前記送り込み装置は廃ガラス瓶を前記操作空間の中に送り込み、前記操作空間の中には輸送装置が設置され、前記輸送装置は輸送ベルトを含み、前記輸送ベルトには十枚の取り付けブロックが設置され、前記取り付けブロックにはクランプ装置が装着され、前記廃ガラス瓶が前記クランプ装置によって挟まれて前記輸送ベルトに取り付けられることができ、前記操作空間の下端壁の中には前記操作空間と連通する浸漬空間が設置され、前記浸漬空間の左側には汚れ除去装置が設置され、前記汚れ除去装置の左側には洗浄空間が設置され、前記洗浄空間の左側には乾燥装置が設置され、前記乾燥装置が前記汚れ除去装置と伝動できるように連結され、前記操作空間の左側には送り出し装置が設置され、前記送り出し装置が前記送り込み装置と伝動できるように連結され、前記廃ガラス瓶が前記浸漬空間で洗浄液に漬けられた後、前記廃ガラス瓶表面の汚れを柔らかくし、または落とし、その後、前記汚れ除去装置により前記廃ガラス瓶に柔らかくなる汚れやラベルを拭き取り、それから、前記廃ガラス瓶が前記洗浄空間に入って洗浄された後に前記乾燥装置の中で乾かされ、きれいになった前記廃ガラス瓶が前記送り出し装置を介して外部空間に送り出される。
【０００６】
好ましくは、前記浸漬空間の中には汚れ除去機能を有する洗浄液が貯蔵され、洗浄液が前記廃ガラス瓶表面の汚れやラベルを柔らかくしかつ落としやすくすることができ、前記洗浄空間の中には浄水が貯蔵され、浄水が前記廃ガラス瓶に付いた落としやすい汚れを除去できる。
【０００７】
好ましくは、前記送り込み装置は送り込み空間を含み、前記送り込み空間が前記操作空間と外部空間とを連通させ、前記送り込み空間の中には延長回転板が回転できるように設置され、前記延長回転板の右端を中心として、前記延長回転板の左端側が上下に揺動し、前記延長回転板の左端が前記操作空間の中に伸びており、前記延長回転板の下端面と前記送り込み空間の下端壁との間には復帰ばねが固定的に設置され、前記送り込み空間の中には送り込み回転軸が回転できるように設置され、前記送り込み回転軸が前記延長回転板の右側に位置し、前記送り込み回転軸が前記輸送装置と伝動できるように連結され、前記送り込み回転軸には送り込み回転車が固定的に設置され、前記送り込み回転車には送り込みベルトが伝動できるように連結され、前記送り込みベルトの上端面が水平状態になった前記延長回転板の上端面と同一平面に位置し、前記送り込みベルトの右端が外部空間に延在し、前記送り込み空間の上側にはトグル溝が連通するように形成され、前記トグル溝の中にはトグル軸が回転できるように設置され、前記トグル軸の後端が前記送り出し装置と伝動できるように連結され、前記トグル軸にはトグルロッドが固定的に設置され、以上により、前記廃ガラス瓶が前記送り込みベルトを介して前記操作空間の中に送り込まれ、前記トグルロッドが時計回り方向に回転して前記廃ガラス瓶を左方に移動させることで、前記廃ガラス瓶の口が前記クランプ装置に挟まれる。
【０００８】
好ましくは、前記輸送装置は前記操作空間の中心軸を対称軸として左右対称に配置された二本の輸送回転軸を含み、左側の前記輸送回転軸の後端には輸送モーターが伝動できるように連結され、前記輸送モーターが前記操作空間の後端壁の中に固定的に設置され、二本の前記輸送回転軸には輸送回転車が固定的に設置され、前記輸送回転車の間には三つの輸送部品が設置され、前記輸送部品は前記操作空間の内部で前後対称に位置する二本の輸送ロッドを含み、前記輸送ロッドにおいて対称中心から離れた一端が前記操作空間の内端壁に回転できるように連結され、前記輸送ロッドには輸送ローラーが固定的に設置され、右側二つの前記輸送部品が左側の前記輸送部品の上側に位置し、かつ右側二つの前記輸送部品が前記操作空間の内部で左右対称に配置され、前記輸送ローラーの下側には四つの牽引回転車が回転できるように設置され、前記牽引回転車、前記輸送ローラー及び前記輸送回転車が前記輸送ベルトにより伝動できるように連結され、以上により、前記輸送モーターが作動して前記輸送ベルトを駆動して回転させ、そして前記クランプ装置により前記廃ガラス瓶を駆動して移動させる。
【０００９】
好ましくは、前記クランプ装置は連結ブロックを含み、前記連結ブロックが前記取り付けブロックと固定的に連結され、前記連結ブロックの中には挟み回転空間が設置され、前記挟み回転空間内部の前後端壁の間には挟み回転軸が設置され、前記挟み回転軸が前記挟み回転空間に対して回転でき、前記挟み回転軸には一対の挟みロッドが交差するように設置され、前記挟み回転空間の中の前記挟みロッドの両端のうち、前記挟み回転軸に近い方の一端にはトーションばねが固定的に設置され、前記トーションばねの他端が前記挟み回転空間の内端壁と固定的に連結され、前記挟みロッドの下端が前記操作空間の中に延在し、かつ前記挟みロッドの下端には挟みブロックが固定的に設置され、前記挟みブロックにおいて対称中心に近接した一端には滑り止めパッドが固定的に設置され、前記挟みブロックの下端面及び前記滑り止めパッドの下端面はいずれも斜面構成であり、以上により、前記廃ガラス瓶を上方に押し動かし、前記廃ガラス瓶の口が前記挟みブロックを押し動かして背を向けて移動させ、そして前記トーションばねの作用で、前記廃ガラス瓶を前記クランプ装置にきつく挟む。
【００１０】
好ましくは、前記汚れ除去装置は環状止め板を含み、前記環状止め板の下方の前記主体の中にはネジ山空間が設置され、前記ネジ山空間の中には昇降回転軸がネジ山を介して連結され、前記昇降回転軸の上端が前記環状止め板により規定される内部空間延在し、かつ前記昇降回転軸の上端には取り付けロッドが固定的に設置され、前記取り付けロッドには環状の洗浄ブロックが固定的に設置され、前記洗浄ブロックの内端壁には洗浄用ブラシが固定的に設置され、前記昇降回転軸の底端の中にはスプライン軸がスプラインにより連結され、前記ネジ山空間の下側にはベルト空間が連通するように設置され、前記ベルト空間の下端壁には回転モーターが固定的に設置され、前記スプライン軸の下端が前記ベルト空間の中に延在しかつ前記回転モーターと伝動できるように連結され、以上により、前記回転モーターが作動することで、前記昇降回転軸を駆動して回転上昇させ、前記洗浄用ブラシを介して前記廃ガラス瓶表面の汚れやラベルを除去する。
【００１１】
好ましくは、前記乾燥装置は二つの乾燥部品を含み、前記乾燥部品が前記操作空間の中に位置し、前記乾燥部品は前後対称に配置された二本の拭き回転軸を含み、前記拭き回転軸には拭き車輪が固定的に設置され、前記操作空間の下端壁には噛合空間が設置され、前記拭き回転軸の下端が前記噛合空間の下端壁と回転できるように連結され、前記噛合空間の中の前記拭き回転軸にはベルトプーリが固定的に設置され、前記ベルトプーリが連結ベルトにより伝動できるように連結され、前記拭き回転軸にはタイミング歯車が固定的に設置され、前記タイミング歯車が前記ベルトプーリの下側に位置し、前記タイミング歯車の前端には回転歯車が噛み合うように連結され、前記回転歯車の軸心には歯車回転軸が固定的に設置され、前記歯車回転軸の下端が前記ベルト空間の下端壁と回転できるように連結され、前記ベルト空間の中の前記歯車回転軸と前記スプライン軸とが伝動ベルトにより伝動できるように連結され、前後の前記拭き車輪の間には隙間があり、前記廃ガラス瓶がこの隙間を通ることができ、前記拭き車輪の外表面が軟質の吸水性のある綿によって作られるもので、前記廃ガラス瓶が前記乾燥部品を通過する時、前後の相対して回転する前記拭き車輪を介して前記廃ガラス瓶表面の水分を拭き取ることができる。
【００１２】
好ましくは、前記送り出し装置は前後対称の伸縮溝を含み、前記伸縮溝が前記操作空間と連通し、二つの前記伸縮溝の中にはいずれも前記廃ガラス瓶を載置するための伸縮板がスライドできるように設置され、前記伸縮板において対称中心から離れた一端と前記伸縮溝との間には伸縮ばねが固定的に設置され、前記操作空間の左側と外部空間とが送り出し空間により連通するように設置され、前記送り出し空間の中には送り出し回転軸が回転できるように設置され、前記送り出し回転軸には送り出し回転車が固定的に設置され、前記送り出し回転車には送り出しベルトが伝動できるように連結され、前記送り出しベルトの左端が外部空間に延在し、前記操作空間の前端壁の中にはタイミングベルト空間が連通するように設置され、前記送り出し回転軸、前記輸送回転軸及び前記送り込み回転軸の前端がいずれも前記タイミングベルト空間の前端壁と回転できるように連結され、前記タイミングベルト空間の中に設けられた前記送り出し回転軸、前記輸送回転軸及び前記送り込み回転軸がタイミングベルトにより伝動できるように連結され、前記操作空間の後側には連結空間が連通するように設置され、前記連結空間の下端壁にはプッシュ溝が連通するように形成され、前記プッシュ溝の中には前記挟みロッドを押して回転させるためのプッシュロッドがスライドできるように設置され、前記連結空間の左側には回転空間が連通するように設置され、前記回転空間内部の上下端壁の間には固定軸が回転できるように設置され、前記固定軸には回転ロッドが回転できるように設置され、前記回転ロッドの右端が前記連結空間の中に延在し、前記回転ロッドの中には連通溝が形成され、前記連通溝が前記プッシュロッドの後端とスライドできるように連結され、前記回転空間の中には回転軸が回転できるように設置され、前記回転軸には回転盤が固定的に設置され、前記回転盤の後端面には半環状ブロックが固定的に設置され、前記回転盤の前端面の中にはスライド溝が形成され、前記スライド溝の中にはスライドロッドがスライドできるように設置され、前記スライドロッドの下端と前記スライド溝との間には圧力ばねが固定的に設置され、前記回転空間の前側と前記送り出し空間との間にはスライドガイド溝が連通するように形成され、前記スライドロッドの前端が前記スライドガイド溝を貫通して前記送り出し空間の中に延在し、かつ前記スライドロッドの前端にはトグル板が固定的に設置され、前記トグル板の下端面には半円状の滑り止めリングが固定的に設置され、前記回転空間の後側には伝動空間が連通するように設置され、前記伝動空間の後端壁には動力モーターが固定的に設置され、前記回転軸の後端が前記動力モーターに伝動できるように連結され、前記伝動空間が前記トグル溝と連通し、前記トグル軸の後端が前記伝動空間の中に延在し、前記伝動空間の中の前記トグル軸と前記回転軸とが動力ベルトにより伝動できるように連結され、前記送り出し装置が作動することにより、前記廃ガラス瓶が前記挟みロッドから離脱し、前記トグル板が前記廃ガラス瓶を押し動かして左方に移動させ、前記廃ガラス瓶が前記送り出しベルトを介して送り出される。
【発明の効果】
【００１３】
本願発明の有益な効果は：本願発明は輸送装置により廃ガラス瓶に浸漬、汚れ除去、洗浄、乾燥という処理を受けさせ後に廃ガラス瓶を送り出し、廃ガラス瓶を一つずつ次々と輸送装置に装着でき、順に各作業を行い、廃ガラス瓶を洗浄する速度と効率を向上させる。また、本願発明は構成が簡単で、廃ガラス瓶を一つずつ輸送装置に装着した後に洗浄を行い、本願発明の占用空間が小さく、少量の廃ガラス瓶表面の汚れを除去する作業に適し、エネルギーを省き、効率が高い。
【図面の簡単な説明】
【００１４】
下記に図１〜１０をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１５】
【図１】図１は本願発明の廃ガラス表面の汚れ除去装置の全体構成概略図
【図２】図２は図１におけるＡ―Ａ方向の構成概略図
【図３】図３は図１におけるＢの拡大構成概略図
【図４】図４は図３におけるＣの拡大構成概略図
【図５】図５は図１におけるＤの拡大構成概略図
【図６】図６は図５におけるＥ―Ｅ方向の構成概略図
【図７】図７は図１におけるＦ―Ｆ方向の構成概略図
【図８】図８は図１におけるＧ―Ｇ方向の構成概略図
【図９】図９は図７におけるＨ―Ｈ方向の構成概略図
【図１０】図１０は図７におけるＩ―Ｉ方向の構成概略図
【発明を実施するための形態】
【００１６】
本願発明は廃ガラス表面の汚れ除去装置に関し、主に廃ガラス瓶表面の汚れを除去する作業に使用され、以下、本願発明図面を参照してさらなる説明をする。
【００１７】
本願発明に記載の廃ガラス表面の汚れ除去装置は、主体１０を含み、前記主体１０の中には操作空間１１が設置され、前記操作空間１１の右側には送り込み装置６０１が設置され、前記送り込み装置６０１は廃ガラス瓶２７を前記操作空間１１の中に送り込み、前記操作空間１１の中には輸送装置６０２が設置され、前記輸送装置６０２は輸送ベルト２１を含み、前記輸送ベルト２１には十枚の取り付けブロック２２が設置され、前記取り付けブロック２２にはクランプ装置６０３が装着され、前記廃ガラス瓶２７が前記クランプ装置６０３によって挟まれて前記輸送ベルト２１に取り付けられることができ、前記操作空間１１の下端壁の中には前記操作空間１１と連通する浸漬空間２８が設置され、前記浸漬空間２８の左側には汚れ除去装置６０４が設置され、前記汚れ除去装置６０４の左側には洗浄空間２９が設置され、前記洗浄空間２９の左側には乾燥装置６０５が設置され、前記乾燥装置６０５が前記汚れ除去装置６０４と伝動できるように連結され、前記操作空間１１の左側には送り出し装置６０６が設置され、前記送り出し装置６０６が前記送り込み装置６０１と伝動できるように連結され、前記廃ガラス瓶２７が前記浸漬空間２８で洗浄液に漬けられた後、前記廃ガラス瓶２７表面の汚れを柔らかくし、または落とし、その後、前記汚れ除去装置６０４により前記廃ガラス瓶２７に柔らかくなる汚れやラベルを拭き取り、それから、前記廃ガラス瓶２７が前記洗浄空間２９に入って洗浄された後に前記乾燥装置６０５の中で乾かされ、きれいになった前記廃ガラス瓶２７が前記送り出し装置６０６を介して外部空間に送り出される。
【００１８】
有益なように、前記浸漬空間２８の中には汚れ除去機能を有する洗浄液が貯蔵され、洗浄液が前記廃ガラス瓶２７表面の汚れやラベルを柔らかくしかつ落としやすくすることができ、前記洗浄空間２９の中には浄水が貯蔵され、浄水が前記廃ガラス瓶２７に付いた落としやすい汚れを除去できる。
【００１９】
有益なように、前記送り込み装置６０１は送り込み空間１２を含み、前記送り込み空間１２が前記操作空間１１と外部空間とを連通させ、前記送り込み空間１２の中には延長回転板９０が回転できるように設置され、前記延長回転板９０の右端を中心として、前記延長回転板９０の左端側が上下に揺動し、前記延長回転板９０の左端が前記操作空間１１の中に伸びており、前記延長回転板９０の下端面と前記送り込み空間１２の下端壁との間には復帰ばね９１が固定的に設置され、前記送り込み空間１２の中には送り込み回転軸１３が回転できるように設置され、前記送り込み回転軸１３が前記延長回転板９０の右側に位置し、前記送り込み回転軸１３が前記輸送装置６０２と伝動できるように連結され、前記送り込み回転軸１３には送り込み回転車１４が固定的に設置され、前記送り込み回転車１４には送り込みベルト１５が伝動できるように連結され、前記送り込みベルト１５の上端面が水平状態になった前記延長回転板９０の上端面と同一平面に位置し、前記送り込みベルト１５の右端が外部空間に延在し、前記送り込み空間１２の上側にはトグル溝１６が連通するように形成され、前記トグル溝１６の中にはトグル軸１８が回転できるように設置され、前記トグル軸１８の後端が前記送り出し装置６０６と伝動できるように連結され、前記トグル軸１８にはトグルロッド１７が固定的に設置され、以上により、前記廃ガラス瓶２７が前記送り込みベルト１５を介して前記操作空間１１の中に送り込まれ、前記トグルロッド１７が時計回り方向に回転して前記廃ガラス瓶２７を左方に移動させることで、前記廃ガラス瓶２７の口が前記クランプ装置６０３に挟まれる。
【００２０】
有益なように、前記輸送装置６０２は前記操作空間１１の中心軸を対称軸として左右対称に配置された二本の輸送回転軸２０を含み、左側の前記輸送回転軸２０の後端には輸送モーター５５が伝動できるように連結され、前記輸送モーター５５が前記操作空間１１の後端壁の中に固定的に設置され、二本の前記輸送回転軸２０には輸送回転車１９が固定的に設置され、前記輸送回転車１９の間には三つの輸送部品６０７が設置され、前記輸送部品６０７は前記操作空間１１の内部で前後対称に位置する二本の輸送ロッド２４を含み、前記輸送ロッド２４において対称中心から離れた一端が前記操作空間１１の内端壁に回転できるように連結され、前記輸送ロッド２４には輸送ローラー２３が固定的に設置され、右側二つの前記輸送部品６０７が左側の前記輸送部品６０７の上側に位置し、かつ右側二つの前記輸送部品６０７が前記操作空間１１の内部で左右対称に配置され、前記輸送ローラー２３の下側には四つの牽引回転車２５が回転できるように設置され、前記牽引回転車２５、前記輸送ローラー２３及び前記輸送回転車１９が前記輸送ベルト２１により伝動できるように連結され、以上により、前記輸送モーター５５が作動して前記輸送ベルト２１を駆動して回転させ、そして前記クランプ装置６０３により前記廃ガラス瓶２７を駆動して移動させる。
【００２１】
有益なように、前記クランプ装置６０３は連結ブロック３０を含み、前記連結ブロック３０が前記取り付けブロック２２と固定的に連結され、前記連結ブロック３０の中には挟み回転空間３１が設置され、前記挟み回転空間３１内部の前後端壁の間には挟み回転軸３４が設置され、前記挟み回転軸が前記挟み回転空間に対して回転でき、前記挟み回転軸３４には一対の挟みロッド３３が交差するように設置され、前記挟み回転空間３１の中の前記挟みロッド３３の両端のうち、前記挟み回転軸３４に近い方の一端にはトーションばね３２が固定的に設置され、前記トーションばね３２の他端が前記挟み回転空間３１の内端壁と固定的に連結され、前記挟みロッド３３の下端が
前記操作空間１１の中に延在し、かつ前記挟みロッド３３の下端には挟みブロック３５が固定的に設置され、前記挟みブロック３５において対称中心に近接した一端には滑り止めパッド３６が固定的に設置され、前記挟みブロック３５の下端面及び前記滑り止めパッド３６の下端面はいずれも斜面構成であり、以上により、前記廃ガラス瓶２７を上方に押し動かし、前記廃ガラス瓶２７の口が前記挟みブロック３５を押し動かして背を向けて移動させ、そして前記トーションばね３２の作用で、前記廃ガラス瓶２７を前記クランプ装置６０３にきつく挟む。
【００２２】
有益なように、前記汚れ除去装置６０４は環状止め板４０を含み、前記環状止め板４０の下方の前記主体１０の中にはネジ山空間４２が設置され、前記ネジ山空間４２の中には昇降回転軸４３がネジ山を介して連結され、前記昇降回転軸４３の上端が前記環状止め板４０により規定される内部空間延在し、かつ前記昇降回転軸４３の上端には取り付けロッド３７が固定的に設置され、前記取り付けロッド３７には環状の洗浄ブロック３８が固定的に設置され、前記洗浄ブロック３８の内端壁には洗浄用ブラシ３９が固定的に設置され、前記昇降回転軸４３の底端の中にはスプライン軸４１がスプラインにより連結され、前記ネジ山空間４２の下側にはベルト空間４５が連通するように設置され、前記ベルト空間４５の下端壁には回転モーター４４が固定的に設置され、前記スプライン軸４１の下端が前記ベルト空間４５の中に延在しかつ前記回転モーター４４と伝動できるように連結され、以上により、前記回転モーター４４が作動することで、前記昇降回転軸４３を駆動して回転上昇させ、前記洗浄用ブラシ３９を介して前記廃ガラス瓶２７表面の汚れやラベルを除去する。
【００２３】
有益なように、前記乾燥装置６０５は二つの乾燥部品６０８を含み、前記乾燥部品６０８が前記操作空間１１の中に位置し、前記乾燥部品６０８は前後対称に配置された二本の拭き回転軸４８を含み、前記拭き回転軸４８には拭き車輪４７が固定的に設置され、前記操作空間１１の下端壁には噛合空間４９が設置され、前記拭き回転軸４８の下端が前記噛合空間４９の下端壁と回転できるように連結され、前記噛合空間４９の中の前記拭き回転軸４８にはベルトプーリ５０が固定的に設置され、前記ベルトプーリ５０が連結ベルト５１により伝動できるように連結され、前記拭き回転軸４８にはタイミング歯車５２が固定的に設置され、前記タイミング歯車５２が前記ベルトプーリ５０の下側に位置し、前記タイミング歯車５２の前端には回転歯車５４が噛み合うように連結され、前記回転歯車５４の軸心には歯車回転軸５３が固定的に設置され、前記歯車回転軸５３の下端が前記ベルト空間４５の下端壁と回転できるように連結され、前記ベルト空間４５の中の前記歯車回転軸５３と前記スプライン軸４１とが伝動ベルト４６により伝動できるように連結され、前後の前記拭き車輪４７の間には隙間があり、前記廃ガラス瓶２７がこの隙間を通ることができ、前記拭き車輪４７の外表面が軟質の吸水性のある綿によって作られるもので、前記廃ガラス瓶２７が前記乾燥部品６０８を通過する時、前後の相対して回転する前記拭き車輪４７を介して前記廃ガラス瓶２７表面の水分を拭き取ることができる。
【００２４】
有益なように、前記送り出し装置６０６は前後対称の伸縮溝９２を含み、前記伸縮溝９２が前記操作空間１１と連通し、二つの前記伸縮溝９２の中にはいずれも前記廃ガラス瓶２７を載置するための伸縮板９３がスライドできるように設置され、前記伸縮板９３において対称中心から離れた一端と前記伸縮溝９２との間には伸縮ばね９４が固定的に設置され、前記操作空間１１の左側と外部空間とが送り出し空間５８により連通するように設置され、前記送り出し空間５８の中には送り出し回転軸５９が回転できるように設置され、前記送り出し回転軸５９には送り出し回転車６１が固定的に設置され、前記送り出し回転車６１には送り出しベルト６０が伝動できるように連結され、前記送り出しベルト６０の左端が外部空間に延在し、前記操作空間１１の前端壁の中にはタイミングベルト空間５６が連通するように設置され、前記送り出し回転軸５９、前記輸送回転軸２０及び前記送り込み回転軸１３の前端がいずれも前記タイミングベルト空間５６の前端壁と回転できるように連結され、前記タイミングベルト空間５６の中に設けられた前記送り出し回転軸５９、前記輸送回転軸２０及び前記送り込み回転軸１３がタイミングベルト５７により伝動できるように連結され、前記操作空間１１の後側には連結空間６２が連通するように設置され、前記連結空間６２の下端壁にはプッシュ溝６３が連通するように形成され、前記プッシュ溝６３の中には前記挟みロッド３３を押して回転させるためのプッシュロッド６４がスライドできるように設置され、前記連結空間６２の左側には回転空間６８が連通するように設置され、前記回転空間６８内部の上下端壁の間には固定軸６６が回転できるように設置され、前記固定軸６６には回転ロッド６５が回転できるように設置され、前記回転ロッド６５の右端が前記連結空間６２の中に延在し、前記回転ロッド６５の中には連通溝６７が形成され、前記連通溝６７が前記プッシュロッド６４の後端とスライドできるように連結され、前記回転空間６８の中には回転軸７７が回転できるように設置され、前記回転軸７７には回転盤６９が固定的に設置され、前記回転盤６９の後端面には半環状ブロック７１が固定的に設置され、前記回転盤６９の前端面の中にはスライド溝７２が形成され、前記スライド溝７２の中にはスライドロッド７４がスライドできるように設置され、前記スライドロッド７４の下端と前記スライド溝７２との間には圧力ばね７３が固定的に設置され、前記回転空間６８の前側と前記送り出し空間５８との間にはスライドガイド溝７０が連通するように形成され、前記スライドロッド７４の前端が前記スライドガイド溝７０を貫通して前記送り出し空間５８の中に延在し、かつ前記スライドロッド７４の前端にはトグル板７５が固定的に設置され、前記トグル板７５の下端面には半円状の滑り止めリング７６が固定的に設置され、前記回転空間６８の後側には伝動空間７８が連通するように設置され、前記伝動空間７８の後端壁には動力モーター８０が固定的に設置され、前記回転軸７７の後端が前記動力モーター８０に伝動できるように連結され、前記伝動空間７８が前記トグル溝１６と連通し、前記トグル軸１８の後端が前記伝動空間７８の中に延在し、前記伝動空間７８の中の前記トグル軸１８と前記回転軸７７とが動力ベルト７９により伝動できるように連結され、前記送り出し装置６０６が作動することにより、前記廃ガラス瓶２７が前記挟みロッド３３から離脱し、前記トグル板７５が前記廃ガラス瓶２７を押し動かして左方に移動させ、前記廃ガラス瓶２７が前記送り出しベルト６０を介して送り出される。
【００２５】
以下、図１〜１０を参照して本願発明の廃ガラス表面の汚れ除去装置の使用手順について詳しく説明する。
【００２６】
使用時、動力モーター８０が作動することにより、回転軸７７を駆動して回転させ、動力ベルト７９によりトグル軸１８を回転させることで、トグルロッド１７が時計回り方向に回転して廃ガラス瓶２７を左方に移動させ、廃ガラス瓶２７の左端が挟みブロック３５を押して背を向けて移動させ、トーションばね３２の作用で、挟みブロック３５が廃ガラス瓶２７の口をきつく挟み、その後、輸送モーター５５が作動することにより、輸送ベルト２１を回転させ、輸送ベルト２１が廃ガラス瓶２７を下方へ浸漬空間２８の中に移動し、廃ガラス瓶２７が浸漬空間２８の中で洗浄液に漬けられることにより廃ガラス瓶２７表面の汚れを柔らかくし、または落とし、その後、廃ガラス瓶２７が漬けられる過程に、輸送ベルト２１が回転を止め、動力モーター８０が作動して次の廃ガラス瓶２７を次のクランプ装置６０３に挟み、そして漬けられた廃ガラス瓶２７が汚れ除去装置６０４の上側に移動し、回転モーター４４が作動することにより、昇降回転軸４３が回転上昇して洗浄用ブラシ３９を駆動して回転上昇させ、廃ガラス瓶２７表面の汚れを除去し或いは柔らかくなるラベルを除去し、この時、次の二番目の廃ガラス瓶２７が浸漬空間２８の中に移動して洗浄液に漬けられ、三番目の廃ガラス瓶２７が輸送ベルト２１に装着され、輸送ベルト２１が回転して一番目の廃ガラス瓶２７を駆動して洗浄空間２９の中に移動させ、輸送モーター５５が作動を止め、廃ガラス瓶２７が洗浄空間２９の中で洗浄され、後の廃ガラス瓶２７が順に各作業の処理を受け、その後、四番目の廃ガラス瓶２７が輸送ベルト２１に装着され、輸送モーター５５が作動して一番目の廃ガラス瓶２７を駆動して乾燥装置６０５の中に輸送し、輸送し終えた後、輸送モーター５５が作動を止め、この時、五番目の廃ガラス瓶２７が輸送ベルト２１に装着され、回転モーター４４が作動してスプライン軸４１を駆動して回転させ、伝動ベルト４６により回転歯車５４を回転させることで、前後の拭き車輪４７が相対して移動して廃ガラス瓶２７のボディーを拭き、輸送ベルト２１が廃ガラス瓶２７を駆動して左方に移動させ、廃ガラス瓶２７が伸縮板９３を押して背を向けて移動させた後に、廃ガラス瓶２７が伸縮板９３の上側に位置し、輸送モーター５５が作動を止め、この時、動力モーター８０が作動し、六番目の廃ガラス瓶２７が輸送ベルト２１に装着され、動力モーター８０の作動は回転軸７７を駆動して回転させることで、回転盤６９が時計回り方向に回転し、半環状ブロック７１が回転ロッド６５を押し動かして回転させ、そしてプッシュロッド６４が前方へ挟み回転空間３１の中に伸び、プッシュロッド６４が挟みロッド３３を押し動かして背を向けて回転させ、挟みブロック３５が廃ガラス瓶２７から離脱し、回転盤６９が引き続き回転してスライドロッド７４を駆動してスライドガイド溝７０の軌跡に沿って移動させ、スライドロッド７４がスライドガイド溝７０内部の滑らかな部分まで移動した時、回転盤６９が回転することにより、スライドロッド７４が水平方向で左方に移動し、トグル板７５により廃ガラス瓶２７を押し動かして左方へ送り出しベルト６０に移動させ、最後に廃ガラス瓶２７が送り出しベルト６０を介して送り出される。
【００２７】
本願発明の有益な効果は：本願発明は輸送装置により廃ガラス瓶に浸漬、汚れ除去、洗浄、乾燥という処理を受けさせ後に廃ガラス瓶を送り出し、廃ガラス瓶を一つずつ次々と輸送装置に装着でき、順に各作業を行い、廃ガラス瓶を洗浄する速度と効率を向上させる。また、本願発明は構成が簡単で、廃ガラス瓶を一つずつ輸送装置に装着した後に洗浄を行い、本願発明の占用空間が小さく、少量の廃ガラス瓶表面の汚れを除去する作業に適し、エネルギーを省き、効率が高い。
【００２８】
上記の方式によって、当業者は本発明の範囲内で作動モードに基づいて様々な変わりを行える。
【要約】
【課題】本願発明は廃ガラス表面の汚れ除去装置を開示した。
【解決手段】
主体を含み、前記主体の中には操作空間が設置され、前記操作空間の右側には送り込み装置が設置され、前記送り込み装置は廃ガラス瓶を前記操作空間の中に送り込み、前記操作空間の中には輸送装置が設置され、前記輸送装置は輸送ベルトを含み、前記輸送ベルトには十枚の取り付けブロックが設置され、前記取り付けブロックにはクランプ装置が装着され、前記廃ガラス瓶が前記クランプ装置によって前記輸送ベルトに挟まれることができ、本願発明は輸送装置により廃ガラス瓶に浸漬、汚れ除去、洗浄、乾燥という処理を受けさせ後に廃ガラス瓶を送り出し、廃ガラス瓶を一つずつ次々と輸送装置に装着でき、順に各作業を行い、廃ガラス瓶を洗浄する速度と効率を向上させる。
【選択図】図１【図１】
0006826255.tif 000002
【図２】
0006826255.tif 000003
【図３】
0006826255.tif 000004
【図４】
0006826255.tif 000005
【図５】
0006826255.tif 000006
【図６】
0006826255.tif 000007
【図７】
0006826255.tif 000008
【図８】
0006826255.tif 000009
【図９】
0006826255.tif 000010
【図１０】
0006826255.tif 000011